(57)【特許請求の範囲】
【請求項１】
第一端（１０Ａ；１１０Ａ）の近傍に突起（１８；１１８）を有すると共に、第二端（１０Ｂ；１１０Ｂ）の近傍にフック（１４；１１４）を有する金属ベルト（１０；１１０）を備えたクランプカラーであって、前記フックが前記突起（１８；１１８）に引っ掛けられて前記クランプカラーを締め付け状態に保つ際に、前記突起（１８；１１８）の後壁（１９）に保持されるように形成された前壁（１５）を前記フックが有し、
前記突起（１８；１１８）の後壁（１９）は上から見るとＶ字型であり、このＶ字型の先端（１９Ａ）は前記フック（１４；１１４）から離れる方向（Ｓ）を向いており、前記フック（１４；１１４）の前壁（１５）は、前記Ｖ字型の枝部（１９Ｂ，１９Ｃ）の傾斜角と一致するように前記金属ベルトの横方向（Ｔ）に対して傾斜した引っ掛け側部（１５Ｂ，１５Ｃ；１１５Ｂ，１１５Ｃ）を有する、クランプカラー。
【請求項２】
前記突起（１８；１１８）は二つ折り（１８Ａ，１８Ｂ）によって形成され、上から見ると、前記突起（１８）の前壁（１７）を形成する前記二つ折りの前部分は、その先端が前記フックから離れる方向（Ｓ）を向いたＶ字型である、請求項１に記載のクランプカラー。
【請求項３】
前記Ｖ字型の各枝部（１９Ｂ，１９Ｃ，１７Ｂ，１７Ｃ）は、前記金属ベルトの横方向（Ｔ）に対して、１０度から４５度の範囲の角度（α）で傾斜している、請求項１または２に記載のクランプカラー。
【請求項４】
前記Ｖ字型の各枝部（１９Ｂ，１９Ｃ，１７Ｂ，１７Ｃ）は、前記金属ベルトの横方向（Ｔ）に対して、１５度から３０度の範囲の角度（α）で傾斜している、請求項１または２に記載のクランプカラー。
【請求項５】
前記Ｖ字型の先端（１９Ａ，１７Ａ）が平らまたは曲面となっている、請求項１〜４のいずれか１項に記載のクランプカラー。
【請求項６】
前記Ｖ字型における窪み（１９'Ａ）において、前記突起（１８；１１８）を形成する前記二つ折り（１８Ａ，１８Ｂ）の前記前部分の根元の中央部（１７'Ａ）が、前記前部分の下で、前記金属ベルト（１０；１１０）の面内において押し込まれている、請求項２〜５のいずれか１項に記載のクランプカラー。
【請求項７】
前記押し込まれている中央部（１７'Ａ）の幅（ＬＲ）が、前記突起の幅（ＬＢ）の１／４から１／３の範囲の長さである、請求項６に記載のクランプカラー。
【請求項８】
前記突起（１８；１１８）の前記前部分において、前記Ｖ字型の前記枝部が、傾斜リブ（２１Ｂ，２１Ｃ）を介して、前記金属ベルトの面内に実質的に位置する帯前側部（１６Ｂ）に接続されている、請求項１〜７のいずれか１項に記載のクランプカラー。
【請求項９】
前記フック（１１４）の前壁に中央セットバック部（１１５Ａ）が設けられている、請求項１〜８のいずれか１項に記載のクランプカラー。
【請求項１０】
前記フック（１４）の前壁（１５）が、前記フックの頂部（１５'）からその前側の縁部（１５"）に向けて突出した中央部（１５Ａ）と、前記中央部（１５Ａ）に対して後退した二つの側面部（１５Ｂ，１５Ｃ）とを有する、請求項１〜９のいずれか１項に記載のクランプカラー。
【発明の詳細な説明】
【技術分野】
【０００１】
本発明は、第一端の近傍に突起を有すると共に第二端の近傍にフックを有する金属ベルトを備えたクランプカラーであって、カラーが締め付け状態を維持するためにフックが突起に引っ掛けられる際に、突起の後壁に対して保持されるように形成された前壁をフックが有する、クランプカラーに関する。
【背景技術】
【０００２】
この種のクランプカラーは、特許文献１などによって既に知られている。この従来技術において、突起は半径方向への二つ折り（ｒａｄｉａｌ  ｄｏｕｂｌｅ  ｆｏｌｄ）で形成され、二つ折りの各層は金属ベルトの長手方向に対して横方向、つまり、カラーの軸方向に延びている。
【０００３】
このような従来技術のカラーの改良型は、例えば特許文献２や特許文献３が示すように、二つ折りの後側の層が突起の後壁から突出する中心合わせ用突出部（ｃｅｎｔｅｒｉｎｇ  ｐｒｏｊｅｃｔｉｏｎ）を有している。フックは、その前壁が前記突出部に対して軸方向にくさび形となるように適切に構成されている。特に、従来技術では、フックの前壁には、突出部が挿入される窪みが設けられている。これにより、ベルトの長手方向の軸に沿って位置合わせすることで突起の中心とフックとを相互に中心合わせすることができる。
【０００４】
混乱を避けるため、「カラーの軸」という用語は、ベルトとカラーの中心を通り、ベルトの幅方向に延びる軸を意味することとする。反対に、「ベルトの長手方向の軸」という用語は、ベルトを輪にする前のフラットな状態において、ベルトの長手方向に沿って延び、幅方向に直交する軸を意味することとする。ベルトを輪にした後では、ベルトの長手方向の軸は、ベルトの幅方向の中心を通る円を形成する。
【０００５】
このような従来技術のカラーは、フックと突起とを互いに中心合わせすることが可能である点においては満足の行くものである。さて、カラーを閉じて締め付ける際、フックは突起を通り越し、フックの前壁が突起の後壁に引っ掛かる。このとき、突起の前壁は一種の傾斜路を形成し、この上をフックの前壁の縁部がスライドすることで、フックが突起を通過する。しかし、前記従来技術のカラーでは、フックと突起との中心を互いに合わせることが可能である点について改善されているものの、前記のような傾斜路は、中心合わせを行う点から言えばフックを効果的に導くことができない。詳細には、フックの前壁の縁部が、中心合わせ用突出部に対して大きく中心がずれた突起の頂点に達した場合、引っ掛け動作が適切に行われないことがある。
【先行技術文献】
【特許文献】
【０００６】
【特許文献１】ＥＰ特許出願公開０，００３，１９２
【特許文献２】ＦＲ特許出願公開２，７０５，４１１
【特許文献３】ＥＰ特許出願公開０，７２４，１０６
【発明の概要】
【発明が解決しようとする課題】
【０００７】
本発明の目的は、上記特徴に加えてさらに改良型の突起を有するクランプカラーを提供することで、従来技術をさらに改良することである。
【課題を解決するための手段】
【０００８】
この目的は、上から見ると、突起の後壁が、フックから離れる方向を向いた先端を有するＶ型の形状を有し、フックの前壁が、Ｖ字型の２つの枝部（ｂｒａｎｃｈｅｓ）の傾斜角と一致するようにベルトの横方向に対して傾斜した引っ掛け側部を有することによって達成される。
【０００９】
上から見ると、突起の後壁によって形成されるＶ字型の先端は「鈍い」形状、すなわち、鋭い先端ではなく丸まった先端となっていてもよい。いずれの形状にしろ、前記突起は、その先端の両側に、Ｖ字型を形成する二つの傾斜枝部を有することを大きな特徴とする。これにより、突起の頂上を通過する際、フックの前壁の縁部が中心からずれていても、前記縁部がＶ字型の傾斜した枝部の一つと優先的に協働し、フックの前壁の縁部の方向を、突起に対して再度中心合わせされるように自然に変えることができる。さらに、締め付け力の配分も改善される。カラーが締め付けられると、前記締め付け力は特にフックの前壁の引っ掛け側部に作用し、この前壁が突起の後壁によって形成されるＶ字型の枝部と協働する。前記引っ掛け側部と前記枝部とは傾斜しているので、締め付け力は、原則的に、ベルトの長手方向の軸上に集中した一成分だけに低減される。これにより、締め付ける力が改善され、フックの予期しないはずれや、フックと突起の想定しない横方向への相互に対する移動が防止される。
【００１０】
また、突起が二つ折りによって形成され、上から見ると、二つ折りの前部分、すなわち突起の前壁を形成する部分も、その先端がフックから離れる方向に向いたＶ字型となっていることも有利な点である。
【００１１】
突起によって形成された二つ折りの前壁もＶ字型であることにより、フックと突起との相互の中心合わせがさらに改善される。上記のように、カラーが閉じられる際、前記前壁は、フックの前壁の縁部と協働する傾斜路として機能する。ここがＶ字型であることから、突起の前壁は、フックの前壁の縁部、特に前記前壁の傾斜した引っ掛け側部の縁部と協働するガイドを形成し、これによって、前記傾斜路を登るフックは突起に対して適切に中心合わせされる。フックは完全に中心合わせされつつ突起の頂点に達するので、完全に安全に引っ掛け動作が行われる。
【００１２】
また、突起の前壁が補強材としてのリブを有することも有利な点である。好ましくは、前記リブは前記前壁によって形成されるＶ字型の先端に対して対称に配置され、前記ガイド動作に悪影響を及ぼさないようになっている。
【００１３】
また、Ｖ字型における窪みにおいて、突起を形成する二つ折りの前部分の根元の中央部が、前記前部分の下で、ベルトの面内において押し込まれていることも有利な点である。
突起の後壁が中心合わせ用突出部を有する従来技術のカラーでは、前記突出部の下の部分で締付が局所的に不十分な場合がある。これに対し、本発明の特徴によると、突起によって形成される二つ折りの前部分の下で金属部材が押し込まれているので、突起の後壁によって形成されるＶ字型の先端が形成する中心合わせ用突出部の部分においても、金属部材は、カラーによって締め付けられる物体に対する支持力連続性を有する。
【００１４】
また、フックの前壁が中央セットバック部を有していることも有利な点である。
【００１５】
この中央セットバック部は、特に、フックの前壁に形成される窪みであって、カラーの引っ掛けおよび締め付け状態において突起の後壁のＶ字型の先端を収容する窪みによって形成されていてもよい。
【００１６】
一方、フックの前壁が、フックの頂部（ｈｅａｄ）からその前側の縁部に向けて突出した中央部と、前記中央部に対して後退した二つの側面部とを有する構成も好適である。フックの前壁に窪みが形成されていない場合、突起の後壁のＶ字型の先端と協働するのは突出した中央部となり、引っ掛けおよび締め付け状態にあるカラーによって前記先端と前記中央部とが係合することになる。これにより、締め付け力がフックの前壁の全幅に渡って作用し、前壁に窪みを有する場合よりも締め付け力がより良好に配分される。
【図面の簡単な説明】
【００１７】
【図１】本発明のカラーの第一実施形態の側面図である。
【図２Ａ】図１の矢印ＩＩＡの方向に上から見た平面図であって、突起を図示している。
【図２Ｂ】図１の矢印ＩＩＢの方向に上から見た平面図であって、フックを図示している。
【図３】図３は、カラーの別の実施形態を一方側から見た斜視図である。
【図４Ａ】図３のカラーを図３の矢印ＩＶの方向に上から見た平面図である。
【図４Ｂ】図４ＡのＩＶＢ線部分断面図である。
【図５】図５は、図４Ａの矢印Ｖに沿って見た場合のカラーの斜視図である。
【図６】図６は、図５の矢印ＶＩに沿って見た場合のカラーの斜視図であり、フックと突起の内側の面を図示している。
【図７】図７は突起を下から見た図である。
【発明を実施するための形態】
【００１８】
本発明とその利点は、非限定的な例示による下記実施形態の詳細な説明によってよりよく理解されるであろう。本願は下記の添付図面を参照する。図１に示されたカラーは、二つの帯片からなる金属ベルトを有する。第一帯片１２はフック１４を有し、第二帯片１６は突起１８を有する。突起１８はベルトの第一端１０Ａを形成する第二帯片１６の自由端の近傍に形成されている。フック１４は、ベルトの第二端１０Ｂを形成する第一帯片１２の端部に形成されている。端部１０Ａの反対側の第二帯片１６の端部１６Ａはフック１４の下を通って戻るので、第二帯片１６は３６０°を越えて回って、フック１４下で支持力連続性（ｂｅａｒｉｎｇ  ｃｏｎｔｉｎｕｉｔｙ）を付与する舌部を形成している。
【００１９】
フック１４の反対側の第一帯片１２の端部１２Ａは、リベット２０等の適当な手段によって第二帯片１６に固定されている。端部１２Ａとフック１４との間で、第一帯片１２には、弾性確保部２２と、第一帯片１６に形成されたスタッド２６が突出するウィンドウ２４（図２Ｂ参照）とが設けられている。
【００２０】
ここで、カラーを閉じて締め付ける場合、フック１４の前壁１５が突起１８を越え、突起１８の後壁１９に対して保持された状態で後壁に引っ掛かることがわかる。
【００２１】
この説明において、フックにおいて他の部分に対して「前」である部分は、他の部分よりも突起に近い部分を意味し、前記他の部分は、当然前である部分よりも「後方」または「後ろ」に位置することになる。同様に、突起において他の部分より「前」である部分は、他の部分よりもフックに近い部分である。
【００２２】
図２Ａが示すように、上から見ると後壁１９はＶ字型の形状を有しており、その先端１９Ａは、矢印Ｓが示すようにフック１４から離れる方向を向いている。この矢印Ｓは、フックの前壁１５を突起１８の後ろに引っ掛けるためにフックが突起に対して移動する方向も示している。フックの後壁である先端１９ＡのＶ字型は鈍く、図示されるように多少丸まっているか平面になっており、これによって前記先端は、突起１８が形成される帯片の全幅ＬＢのおよそ１／４から１／３の間の範囲を示す幅ＬＰを越えて延在している。前記先端の両側において、突起１８のＶ字型後壁は二つの枝部１９Ｂ、１９Ｃを有しており、これらは対応する帯片の長軸Ｌに対して対称に配置されている。
【００２３】
図２Ｂに示すように、フックの前壁１５は引っ掛け側部１５Ｂ、１５Ｃを有しており、これらはベルトの横方向Ｔ（カラーの軸方向）に対して傾斜して、突起の後部に形成されたＶ字型の枝部１９Ｂ、１９Ｃの傾斜角と、横方向Ｔについて一致するように構成されている。本例では、前壁１５は突出した中央部１５Ａと、前記中央部より後退した側面部１５Ｂ、１５Ｃとを有する。図１、２Ｂから、前壁１５の中央部１５Ａがフックのヘッド１５’から前方にフックの縁部１５”に向かって突出していることが分かる。中央部１５Ａにおいて、縁部１５”は前側に配置（ｓｅｔ  ｆｏｒｗａｒｄ）されている。フック１４のヘッド１５’は上壁１４’の前縁に対応し、ここで折り曲げが行われて、フックの前壁が突起１８の後側に引っ掛かることが可能なように略半径方向に延びている。引っ掛けられた状態では、突出した中央部１５Ａは、突起１８の後壁１９が形成するＶ字型の先端１９Ａに係合している。
【００２４】
図１が明示するように、突起１８は、後折り層１８Ａと前折り層１８Ｂの二つの折り畳み層からなる二つ折りによって形成されている。突起の前壁１７は、前記二つ折りの前部分によって形成されている。図２Ａに示すように、上から見ると壁１７もＶ字型になっており、その先端１７Ａの向く方向が矢印Ｓで示されている。この先端の両側において、前記前壁は傾斜枝部１７Ｂ、１７Ｃを有する。図面から、後壁のＶ字型１９Ａ、１９Ｂ、１９Ｃと前壁の１７Ａ、１７Ｂ、１７Ｃとが平行になっていることが分かる。カラーが締められると、フック１４の前壁１５の縁部１５’は突起の前壁１７と協働する。このとき、突出した中央部１５Ａは突起の前壁のＶ字型部分の窪み１７Ａと協働し、引っ掛け側部１５Ｂ、１５Ｃは枝部１７Ｂ、１７Ｃと協働する。これにより、締め付け時にフックをガイドして、フックが前記突起を通り越す前でもフックと突起との中心合わせを行うことができる。
【００２５】
Ｖ字型部分１９Ａ、１９Ｂ、１９Ｃと、１７Ａ、１７Ｂ、１７Ｃとは、それぞれ鈍い先端１９Ａ、１７Ａを有する。本例では、前記先端は横方向Ｔに延びる平面を形成している。よって、前記Ｖ字型をＵ字型として、枝部１９Ｂ、１９Ｃと１７Ｂ、１７Ｃとを底部１９Ａ、１７Ａから、本例では軸Ｌに一致する中心線に対して対称に分かれるようにすることも可能である。
【００２６】
図２Ａが示すように、突起１８の前部において、Ｖ字型の枝部は、ベルトの第一端１０Ａに対応しベルトの略面内に位置する帯前側部１６Ｂに接続されている。傾斜リブ２１Ｂ、２１Ｃはこの接続部分に設けられている。これらのリブは、突起が形成されている帯部分の長軸Ｌについて対称に配置されている。前記リブは、フック１４の前壁１５の縁部１５’が突起１８を乗り越えやすくするための傾斜路として機能する。Ｖ字型を形成する枝部１７Ｂ、１９Ｂと１７Ｃ、１９Ｃの略半分の位置に、前記リブが設けられている。
【００２７】
図２Ａにおいて、Ｖ字型を形成する枝部、すなわち、突起の後壁１９のＶ字型あるいはその前壁１７のＶ字型の枝部は、ベルトの横方向Ｔに対して角度αで傾斜している。この角度はおよそ１０°から４５°の間であり、およそ１５°から３０°の間であることが望ましい。さらに、前述のように、Ｖ字型の先端１９Ａ、１７Ａは平らになっているか丸まっている。
【００２８】
ここで、本発明のカラーの別の実施形態を示す図３について説明する。このカラーは、単一の金属片からなる金属ベルト１１０を有する。ベルトの第一端１１０Ａには突起１１８が形成され、ベルトの第二端１１０Ｂにはフック１１４が形成されている。図面から分かるように、フックの後側に、前記ベルトは弾性確保部を形成する波型部１２２を有する。前記突起は、図１、２Ａ、２Ｂを用いて説明した突起１８と同一である。一方、図４Ａが示すように、フック１１４は前記図面のフック１４とは多少異なっている。この突起の前壁は中央セットバック部１１５Ａを有し、その両側にはこの場合も二つの側面部１１５Ｂ、１１５Ｃがある。これらの側面部は、突起が形成するＶ字型における枝部１９Ｂ、１９Ｃと１７Ｂ、１７Ｃとの形状に合うように傾斜している。リブ２１Ｂ、２１Ｃも図４Ａにおいてはっきりと図示されている。フック１１４が突起１１８を越えて引っ掛けられる際、側面部１１５Ｂ、１１５Ｃの縁部は突起の前壁１７のＶ字型の枝部１７Ｂ、１７Ｃに対してスライドする。より詳細には、縁部は、リブ２１Ｂ、２１Ｃと協働して、ベルトが形成される帯の長軸Ｌ上でフックの中心と突起の中心とが位置あわせされるようにフックをガイドする。引っ掛けられた後は、側面部１１５Ｂ、１１５Ｃはそれぞれ突起１１８の後壁に形成されたＶ字型の枝部１９Ｂ、１９Ｃと係合する。これと同時に、突起１１８の後壁のＶ字型の先端１９Ａは、突起の前壁のセットバック部１１５Ａに収容される。
【００２９】
特に図４Ａを参照すると分かるように、図示されているカラーは幅ＬＧが広くなっている。一方、フックと突起からなる引っ掛け部材が設けられている部分では、前記幅は幅ＬＢに狭まっている。図２Ａに示すように、突起１１８の後壁のＶ字型の先端１９Ａは、その先端を有する帯片の幅ＬＢのおよそ１／３から１／４である幅ＬＰを越えて延びている。幅ＬＢは局所的にベルトの幅ＬＧよりも短く、前記幅のおよそ１／３であり、ベルトが形成される帯片の長軸Ｌに中心合わせされている。
【００３０】
図３、図４Ａが示すように、ベルトの縁部は直立マージン１１０Ｃ、１１０Ｃ’を有する。これらの直立マージンは放射状に等間隔で分離しているので、カラーの締付を阻害することがない。これにより、幅を有するカラーに耐衝撃性を与えることができる。さらに、これらの直立マージンの存在によって長手方向の縁部が鋭くない状態になっているため、カラーによって締め付けられる物体が前記長手方向の縁部によって傷つけられてしまうことが少なくなる。この効果は、物体がゴム等の一般的な非金属からなる場合に顕著である。
【００３１】
突起の内側面を示す図４Ｂ、図６、図７について以下に説明する。突起１１８の下で、突起の外面上の窪み１９’ＡがＶ字型の先端１９Ａと対応していることがわかる。図４Ｂ、図６が示すように、ベルトの面内で、突起１８を形成する二つ折りの前部分の根元の中央部１７’Ａが、前記前部分の下で窪み１９’Ａに押し込まれている。これについては図４Ａにも示されており、ここでは、突起の前壁のＶ字型の窪み１７Ａの根元が、２つのリブ２１Ｂ、２１Ｃの間において突起１１８の下で延びるように、１７”Ａにおいて押し込まれている。
【００３２】
図７が示すように、押し込まれる中央部１７’Ａの幅ＬＲは、突起の前記幅のおよそ１／４から１／３となる。この幅は、本例では、突起が形成される帯片の幅ＬＢに対応する。
【図１】
0005618279.tif 000002
【図２Ａ】
0005618279.tif 000003
【図２Ｂ】
0005618279.tif 000004
【図３】
0005618279.tif 000005
【図４Ａ】
0005618279.tif 000006
【図４Ｂ】
0005618279.tif 000007
【図５】
0005618279.tif 000008
【図６】
0005618279.tif 000009
【図７】
0005618279.tif 000010